(57)【要約】【課題】メタデータ作成、評価を視聴者が広く行い、さらにメタデータ作成者にインセンティブを与える手段を用いることで、メタデータ作成の手間を減少させると同時に価値のある情報を含むメタデータを作成する、という課題を解決する。【解決手段】番組メタデータを作成した視聴者Ａから前記番組メタデータを収集しデータベースに蓄積する工程と、前記番組メタデータを視聴者Ｂの要求に従い送信する工程と、視聴者Ｂが評価した前記番組メタデータの評価データを受信し前記データベースに蓄積する工程と、前記データベースに蓄積された一つ以上の前記評価データをもとに前記番組メタデータの最終評価を行う工程と、前記最終評価に基づいて前記番組メタデータを作成した視聴者Ａにインセンティブを与える工程からなることを特徴とする、番組メタデータ作成管理方法を提供する。【選択図】        図１
2006165658.tif 000002
【特許請求の範囲】
【請求項１】
番組メタデータを作成した視聴者Ａから前記番組メタデータを収集しデータベースに蓄積する工程と、前記番組メタデータを視聴者Ｂの要求に従い送信する工程と、視聴者Ｂが評価した前記番組メタデータの評価データを受信し前記データベースに蓄積する工程と、前記データベースに蓄積された一つ以上の前記評価データをもとに前記番組メタデータの最終評価を行う工程と、前記最終評価に基づいて前記番組メタデータを作成した視聴者Ａにインセンティブを与える工程からなることを特徴とする、番組メタデータ作成管理方法。
【請求項２】
請求項１に記載のメタデータ作成管理方法は、更に、視聴者Ｂに対してインセンティブを与える工程を含むことを特徴とする、番組メタデータ作成管理方法。
【請求項３】
請求項１又は２に記載の番組メタデータ作成管理方法は、視聴者Ａと、視聴者Ｂを予め会員として登録する工程を含み、その会員に関連するサービスとして請求項１乃至請求項２に記載のインセンティブを付与することを特徴とする、番組メタデータ作成管理方法。
【請求項４】
請求項１乃至３いずれかに記載の番組メタデータ作成管理方法であって、請求項１に記載の番組メタデータが、メタデータのタイトルとメタデータの内容からなり、請求項１に記載の番組メタデータを受信した視聴者Ｂがメタデータのタイトルからメタデータの内容を要求するステップを経ることでメタデータの内容が前記視聴者Ｂの端末に表示され、前記メタデータの内容の表示要求を行った事実を表す指標が請求項１に記載の評価データの少なくとも一つとなることを特徴とする、番組メタデータ作成管理方法。
【請求項５】
番組メタデータを作成した視聴者Ａから前記番組メタデータを収集しデータベースに蓄積する手段と、前記番組メタデータを視聴者Ｂの要求に従い送信する手段と、視聴者Ｂが評価した前記番組メタデータの評価データを受信し前記データベースに蓄積する手段と、前記データベースに蓄積された一つ以上の前記評価データをもとに前記番組メタデータの最終評価を行う手段と、前記最終評価に基づいて前記番組メタデータを作成した視聴者Ａにインセンティブを与える手段を持つことを特徴とする、番組メタデータ作成管理システム。
【請求項６】
番組視聴中あるいは録画番組の視聴中に番組メタデータ入力画面を表示する入力画面表示手段と、番組メタデータ入力内容を記録する入力内容記録手段と、記録した番組メタデータを番組メタデータ管理者に送信するメタデータ送信手段を含むことを特徴とする、番組メタデータ作成装置。
【請求項７】
録画番組の視聴中に番組メタデータ表示を要求する表示要求手段と、番組メタデータを受信する受信手段と、受信した番組メタデータを表示するメタデータ表示手段と、番組メタデータ評価画面を表示する評価画面表示手段と、番組メタデータ評価データを記録する評価データ記録手段と、入力した評価データを番組メタデータ管理者に送信する評価データ送信手段を含むことを特徴とする、番組メタデータ評価装置。
【請求項８】
テレビ受像機又はコンピュータにおいて実行されるコンピュータプログラムであって、番組視聴中あるいは録画番組の視聴中に番組メタデータ入力画面を表示するプログラムコードと、番組メタデータ入力内容を記録するプログラムコードと、記録した番組メタデータを番組メタデータ管理者に送信するプログラムコードを含むコンピュータプログラム。
【請求項９】
請求項８に記載のコンピュータプログラムを記憶する記憶媒体。
【請求項１０】
テレビ受像機又はコンピュータにおいて実行されるコンピュータプログラムであって、録画番組の視聴中に番組メタデータ表示を要求するプログラムコードと、番組メタデータを受信するプログラムコードと、受信した番組メタデータを表示するプログラムコードと、番組メタデータ評価画面を表示するプログラムコードと、番組メタデータ評価データを記録するプログラムコードと、入力した評価データを番組メタデータ管理者に送信するプログラムコードを含むコンピュータプログラム。
【請求項１１】
請求項１０に記載のコンピュータプログラムを記憶する記憶媒体。
【発明の詳細な説明】
【技術分野】
【０００１】
この発明は、テレビ番組などの番組メタデータ作成に関する分野に属する番組メタデータ作成管理方法、番組メタデータ作成管理システム、番組メタデータ作成装置、番組メタデータ評価装置、コンピュータプログラム、及び記憶媒体に関するものである。
【背景技術】
【０００２】
ハードディスクビデオレコーダーの普及や、サーバ型放送の検討などに伴い、番組に関する出演者情報やシーン情報などを記述する「番組メタデータ」（以下、メタデータ、番組メタデータを同義で記述）に注目が集まっている。すでに、メタデータの提供を自社提供のＨＤＤレコーダー購入者への有料サービスとして提供する業者や、メタデータを作成する専門サービス業者も現れており、メタデータに関する市場は立ち上がりつつある。
【０００３】
しかし、現時点ではメタデータの作成は上記のような専門の業者が入力を行う、もしくは番組提供者自身がメタデータをあらかじめ作成することになっており、作成に手間がかかる。また、メタデータとして有用な情報には、たとえばある俳優があるシーンで着用した洋服のブランドなど、一般に知られていないが価値のある情報があることが考えられるが、業者や番組提供者のみがメタデータを作成する仕組みではこのような価値のある情報を取り入れることができないケースが多くなる。つまり、メタデータ作成の手間を減少させると同時に価値のある情報を含むメタデータを作成することは困難であり、これを解決することが課題として存在する。
【０００４】
この課題を解決する方法として、視聴者自身にメタデータを作成させ、その内容を評価させるという考えがある。その一つとして、特許文献１では、番組を視聴する視聴者、番組を提供する番組提供者が通信回線網を利用することで連携して、番組の内容を識別するインデックス（本発明のメタデータと同義）を収集して、別の視聴者に付与する番組インデックス収集付与方法を提供している。しかし、この発明でのメタデータの評価は主にメタデータの修正に使用され、視聴者のメタデータ作成に関するインセンティブ向上には必ずしもつながらない。
【特許文献１】特開２００４−４０３５５号公報
【発明の開示】
【発明が解決しようとする課題】
【０００５】
発明は、メタデータ作成、評価を視聴者が広く行い、さらにメタデータ作成者にインセンティブを与える手段を用いることで、メタデータ作成の手間を減少させると同時に価値のある情報を含むメタデータを作成する、という課題を解決する。
【課題を解決するための手段】
【０００６】
具体的には、下記の構成を備えることにより上記課題を解決できるものである。
【０００７】
番組メタデータを作成した視聴者Ａから前記番組メタデータを収集しデータベースに蓄積する工程と、前記番組メタデータを視聴者Ｂの要求に従い送信する工程と、視聴者Ｂが評価した前記番組メタデータの評価データを受信し前記データベースに蓄積する工程と、前記データベースに蓄積された一つ以上の前記評価データをもとに前記番組メタデータの最終評価を行う工程と、前記最終評価に基づいて前記番組メタデータを作成した視聴者Ａにインセンティブを与える工程からなることを特徴とする、番組メタデータ作成管理方法を提供する。
【０００８】
更に、視聴者Ｂに対してインセンティブを与える工程を含むことを特徴とする、番組メタデータ作成管理方法を提供する。
【０００９】
更に、前記番組メタデータ作成管理方法は、視聴者Ａと、視聴者Ｂを予め会員として登録する工程を含み、その会員に関連するサービスとして前記インセンティブを付与することを特徴とする、番組メタデータ作成管理方法を提供する。
【００１０】
更に、前記番組メタデータ作成管理方法であって、前記番組メタデータが、メタデータのタイトルとメタデータの内容からなり、前記番組メタデータを受信した視聴者Ｂがメタデータのタイトルからメタデータの内容を要求するステップを経ることでメタデータの内容が前記視聴者Ｂの端末に表示され、前記メタデータの内容の表示要求を行った事実を表す指標が評価データの少なくとも一つとなることを特徴とする、番組メタデータ作成管理方法を提供する。
【００１１】
更に、番組メタデータを作成した視聴者Ａから前記番組メタデータを収集しデータベースに蓄積する手段と、前記番組メタデータを視聴者Ｂの要求に従い送信する手段と、視聴者Ｂが評価した前記番組メタデータの評価データを受信し前記データベースに蓄積する手段と、前記データベースに蓄積された一つ以上の前記評価データをもとに前記番組メタデータの最終評価を行う手段と、前記最終評価に基づいて前記番組メタデータを作成した視聴者Ａにインセンティブを与える手段を持つことを特徴とする、番組メタデータ作成管理システムを提供する。
【００１２】
更に、番組視聴中あるいは録画番組の視聴中に番組メタデータ入力画面を表示する入力画面表示手段と、番組メタデータ入力内容を記録する入力内容記録手段と、記録した番組メタデータを番組メタデータ管理者に送信するメタデータ送信手段を含むことを特徴とする、番組メタデータ作成装置を提供する。
【００１３】
更に、録画番組の視聴中に番組メタデータ表示を要求する表示要求手段と、番組メタデータを受信する受信手段と、受信した番組メタデータを表示するメタデータ表示手段と、番組メタデータ評価画面を表示する評価画面表示手段と、番組メタデータ評価データを記録する評価データ記録手段と、入力した評価データを番組メタデータ管理者に送信する評価データ送信手段を含むことを特徴とする、番組メタデータ評価装置を提供する。
【００１４】
更に、テレビ受像機又はコンピュータにおいて実行されるコンピュータプログラムであって、番組視聴中あるいは録画番組の視聴中に番組メタデータ入力画面を表示するプログラムコードと、番組メタデータ入力内容を記録するプログラムコードと、記録した番組メタデータを番組メタデータ管理者に送信するプログラムコードを含むコンピュータプログラム、あるいはコンピュータプログラムを記憶する記憶媒体を提供する。
【００１５】
更に、テレビ受像機又はコンピュータにおいて実行されるコンピュータプログラムであって、録画番組の視聴中に番組メタデータ表示を要求するプログラムコードと、番組メタデータを受信するプログラムコードと、受信した番組メタデータを表示するプログラムコードと、番組メタデータ評価画面を表示するプログラムコードと、番組メタデータ評価データを記録するプログラムコードと、入力した評価データを番組メタデータ管理者に送信するプログラムコードを含むコンピュータプログラムまたはコンピュータプログラムを記憶する記憶媒体を提供する。
【発明の効果】
【００１６】
本発明によれば、メタデータ作成の手間を減少させると同時に価値のある情報を含むメタデータを作成する、という課題を解決することができる。
【発明を実施するための最良の形態】
【００１７】
以下、実施例を図面に基づいて説明する。
【実施例】
【００１８】
図１は、本発明の対象となる各事業者、視聴者等を含むモデルの全体像である。
【００１９】
１０１は、メタデータ管理者であり、本発明のメタデータ作成に関する運用管理を行う主体である。メタデータ管理者１０１は、メタデータ等を格納するデータベースＤＢ１０１ａを、接続または内部に保有するメタデータ処理機器１０１ｂを用いてメタデータを運用管理する。メタデータ処理機器１０１ｂは、インターネット１０５等のネットワークに接続され、視聴者１０３、１０４とデータを交換できる。
【００２０】
１０２は、放送事業者であり、テレビ番組等の番組を、地上放送波、衛星放送波、ケーブル、その他の手段を用いて視聴者に提供する。
【００２１】
１０３はメタデータを作成する視聴者であり、夫々接続されたテレビ１０３ａ、録画機器１０３ｂ、メタデータ入力機器１０３ｃを所有する。テレビ１０３ａは放送事業者１０２から提供される番組を視聴するものであり、録画機器１０３ｂを用いて番組が録画される。メタデータ入力機器１０３ｃは、キーボード、あるいはマイクと音声認識モジュール等、何らかの文字入力機能を備える。視聴者１０３はメタデータ入力機器１０３ｃを用いてメタデータを作成する。なお、テレビ１０３ａ、録画機器１０３ｂ、メタデータ作成機器１０３ｃはそれぞれ独立した機器であってもよいが、一部、あるいは全部がＰＣなど同一の機器内に存在し、それぞれの機能を持ってもよい。
【００２２】
１０４はメタデータを評価する視聴者であり、夫々接続されたテレビ１０４ａ、録画機器１０４ｂ、メタデータ閲覧機器１０４ｃを所有する。テレビ１０４ａは放送事業者１０２から提供される番組を視聴するものであり、録画機器１０４ｂを用いて番組が録画される。メタデータ閲覧機器１０４ｃは、リモコンやキーボード等、表示されたメタデータを評価するデータを入力する手段を備える。視聴者１０４はメタデータ閲覧機器１０４ｃを用いてメタデータを閲覧し、必要に応じて評価を行う。なお、テレビ１０４ａ、録画機器１０４ｂ、メタデータ閲覧機器１０４ｃはそれぞれ独立した機器であってもよいが、一部、あるいは全部がＰＣなど同一の機器内に存在し、それぞれの機能を持ってもよい。また、メタデータを作成する視聴者とメタデータを評価する視聴者は同一であってもよいため、メタデータ作成機器１０３ｃとメタデータ閲覧機器１０４ｃはそれぞれの機能を保有していれば同一の機器であっても良い。
【００２３】
図２は、本発明をある事業モデルに適用した例である。図１と同様に、メタデータ管理者２０１、番組提供者２０２、メタデータを作成する視聴者Ａ２０３、メタデータを評価する視聴者Ｂ２０４、が存在する。本例ではそれに加え、録画機器等の機器販売者２０５がメタデータ管理者２０１と提携している、あるいは同一事業者であり、有償あるいは無償の会員サービスを運営している。その会員に対し有益なメタデータを提供することで、機器の販売促進に活用することが可能である。
【００２４】
図２における事業モデルにおけるプロセスの概要は以下のとおりである。
（１）視聴者Ａ、Ｂはその会員サービスに参加登録
（２）番組提供者が番組を放送
（３）視聴者Ａが番組を視聴しメタデータを作成、送付
（４）メタデータ管理者が集めたメタデータを視聴者Ｂなど他の視聴者に提供
（５）視聴者Ｂは、提供されたメタデータを評価
（６）メタデータ管理者はメタデータの評価に従ったインセンティブを視聴者Ａに付与
【００２５】
このプロセスを、図３のフローチャートを用いて説明する。
【００２６】
なお、このフローチャートにおける各種処理は、特に指定がない場合、図１における機器の、メタデータ処理機器１０１ｂ、メタデータ作成機器１０３ｃ、及びメタデータ評価機器１０４ｃにおいて実行される。それぞれの機器はインターネット等のネットワークに接続され夫々の機器内の処理と、機器同士のデータ交換等の処理において実現されるものである。
【００２７】
・メタデータ管理者１０１の処理は、メタデータ管理者が保有するメタデータ処理機器１０１ｂがメタデータＤＢ１０１ａと連携して行う。
・視聴者（メタデータ作成）１０３の処理は、メタデータ作成機器１０３ｃが行う。
・視聴者（メタデータ評価）１０４の処理は、メタデータ評価機器１０４ｃが行う。
【００２８】
まず、視聴者Ａ（メタデータ作成）、視聴者Ｂ（メタデータ評価）はそれぞれメタデータ管理者が運営する会員に登録する（Ｓ３０１、Ｓ３０２、Ｓ３０３）。なお、本フローチャートでは視聴者Ａはメタデータ作成者、視聴者Ｂはメタデータ評価者となっているが、会員上の区別の必要はなく、会員各々が必要に応じてメタデータ作成、評価いずれを行ってよい。また、意図的にメタデータ作成者、評価者を別グループ会員として管理しても良い。
【００２９】
視聴者が会員となっている状態で、番組提供者から各視聴者に対し番組が放送される（Ｓ３０４）。視聴者Ａは番組を視聴し（Ｓ３０５）、視聴者Ｂは番組を録画する（Ｓ３０６）。視聴者Ａは番組を録画してから視聴しても良い。
【００３０】
視聴者Ａはリアルタイムで、あるいは録画した番組を視聴しながら、メタデータを入力する（Ｓ３０７）。
【００３１】
図４は、視聴者Ａが使用するメタデータ入力画面の一例である。図１におけるメタデータ作成機器１０３ｃにおいて処理され、テレビ１０３ａで表示される画面である。あるいはテレビ、録画機器、メタデータ作成の各機能が一体化したＰＣ（Ｐｅｒｓｏｎａｌ  Ｃｏｍｐｕｔｅｒ）等で実現される画面である。
【００３２】
番組放送、あるいは録画番組の再生動画が、画面４０１に表示される。
【００３３】
チャンネル欄４０２にはチャンネル名、番組欄４０３には番組名、経過時間欄４０４には番組開始からの経過時間が自動的に表示される。
【００３４】
視聴者Ａはリアルタイムで、あるいは録画した番組を視聴しながら、メタデータを入力したいシーンでＰａｕｓｅボタン４０７を押す、あるいはそのままメタデータのタイトル４０５と内容４０６をキーボード等何らかの入力手段を用いて入力する。メタデータ作成機器は入力が開始された時点での経過時点を一時的に記憶する。
【００３５】
メタデータの入力が終了すると、完了ボタン４０８を押す。視聴者は引き続き番組を視聴する。なお、Ｐａｕｓｅボタンを押していた場合は、追いかけ再生等の機能でＰａｕｓｅボタンを押した時刻以降の番組内容を引き続き視聴してもよい。
【００３６】
入力されたメタデータは、その文字入力が開始された、経過時間の時点に関する、そのチャンネル、番組のメタデータとして、メタデータ作成機器内のメモリ、ハードディスクなどの記憶部分に記録される。このようにして、番組内に一つ以上のメタデータが入力された場合、番組の視聴が終了した時点あるいは任意の時点で、メタデータがメタデータ作成機器（図１の１０３ｃ）からメタデータ管理者が管理するメタデータＤＢ（図１の１０１ａ）にインターネット等を通じて送信される（Ｓ３０７）。
【００３７】
視聴者Ａのメタデータ作成機器から送信されたメタデータはメタデータ管理者が収集、統合しＤＢ１０１ａに記録する（Ｓ３０９、Ｓ３１０）。このメタデータ統合処理でメタデータは図５に示すデータ構造としてＤＢ１０１ａに記録される。すなわち（１）メタデータごとに一意となるメタデータＩＤ、（２）チャンネルと番組名の組が一意となるような番組ＩＤ、（３）チャンネル名、（４）番組名、（５）経過時間、（６）視聴者Ａを一意に認識するものとしてログインや機種登録等の方法であらかじめメタデータ作成機器内に記録されているメタデータ作成会員ＩＤ、（７）入力されたメタデータの標題、（８）入力されたメタデータ、それぞれが割り付けられ、ＤＢ１０１ａに記録される。
【００３８】
メタデータを評価することになる視聴者Ｂは、番組を録画（Ｓ３０６）し、後日番組を視聴する（Ｓ３１１）。その番組のメタデータの評価を行う場合は、視聴前あるいは視聴中に該番組のメタデータの表示要求を、チャンネル名と番組名を送信することでメタデータ管理者に対して行う（Ｓ３１２）。メタデータ表示要求を受けたメタデータ管理者は、メタデータを送信する（Ｓ３１３）。送信されるメタデータは、図６のとおりであり、図５で先に示したＤＢのデータ項目から、メタデータ会員ＩＤ項目を除いたものである。なお、メタデータ作成者の了解があるなどプライバシー上の問題がない場合は、図５のデータおよびメタデータ作成者の名称やニックネームを送信し、それをメタデータ評価の参考にしても良い。
【００３９】
受信したメタデータは、視聴者Ｂのメタデータ評価機器内の記憶装置に一時的に記録される。
【００４０】
図７は、メタデータ評価画面の一例である。図１におけるメタデータ評価機器１０４ｃにおいて処理され、テレビ１０４ａで表示される画面である。あるいはテレビ、録画機器、メタデータ表示と評価の各機能が一体化したＰＣ等で実現される画面である。番組放送、あるいは録画番組の再生動画が、画面７０１に表示される。受信したメタデータのデータに応じて、チャンネル欄７０２にチャンネル名、番組欄７０３には番組名、経過時間欄７０４には番組開始からの経過時間が自動的に表示されているが、メタデータが記録されている経過時間になると、タイトル欄７０５にメタデータのタイトルが表示される（Ｓ３１４）。同時に、同様にメタデータの内容７０７が自動的に表示される。あるいは「内容を見る」というボタン７０６のボタンを視聴者が選択した場合に、メタデータの内容７０７が表示される方式でもよい。ボタン７０６が押される方式では、その行為が該メタデータに関して視聴者の関心があったことの証左となるため、インセンティブの付加に関するポイントとする。
【００４１】
さらに、その内容に関して視聴者Ｂは７０８の選択肢の中から、リモコン、マウス等の手段を用いて該メタデータに関する選択評価を行う（Ｓ３１５）。この例では、「内容を見る」ボタンが押されたことで評価を自動的に３としており、その内容を視聴者Ｂが見た結果、その評価内容を変更できることとしている。
【００４２】
評価が終わると、リモコン、マウス等の手段を用いて「完了」ボタン７０９を押下する処理を行う。ここまでの評価の処理は、再生中に行っても良いし、「Ｐａｕｓｅ」ボタン７１０を押下してから行っても良い。
【００４３】
このように作成された評価データは、メタデータ管理者の所有するメタデータ処理機器に送信される（Ｓ３１６）。送信される評価データは、メタデータＩＤ、視聴者Ｂを一意に認識するものとしてログインや機種登録等の方法であらかじめメタデータ評価機器内に記録されている会員ＩＤ、及び評価値を少なくともデータ項目として持つ。
【００４４】
メタデータ処理機器は、評価データを受信し（Ｓ３１７）、処理する。この例における処理は以下のとおりとなる。
【００４５】
まず、受信した評価データを、メタデータＤＢ１０１ａに蓄積する。蓄積するデータは図８のように、メタデータＩＤ、評価者の会員ＩＤ、評価値を少なくともデータ項目として持つレコードの集合となる。
【００４６】
次に、一定の期間が経過する、あるいはあるメタデータに関する評価者の数が一定値以上になる、等何らかの経過基準を越えた場合に、最終的な評価データの計算処理を行う（Ｓ３１８）。図９に表記したこの例では、あるメタデータＩＤに関する評価の単純平均値を最終評価としている。
【００４７】
最終評価値の決定が行われたら、次に、その評価値の大きさに応じて規定されたインセンティブが視聴者Ａ（メタデータ作成者）に付与され（Ｓ３１９）、それを視聴者Ａが受け取る（Ｓ３２０）。このインセンティブは、メタデータ管理者の提供する会員サービスの会費減額や会員期間の延長等、会員サービスに関するデータ変更でも良いし、商品券やサービス権の付与など物理的なものでも良い。さらに、メタデータの授受に使われたネットワークを経由した何らかの情報提供など、メタデータ作成者がメリットを享受できるものであれば特に限定はされない。また、メタデータ評価者Ｂにも同様に、評価を行ったことに対する何らかのインセンティブを提供しても良い。
【００４８】
以上で図３におけるフローチャートは終了する。
【００４９】
なお、図３のフローチャートの処理は、特別な電子回路によるハードウェアで実行されてもよいし、コンピュータプログラムによって実行されてもよい。図３の処理を実行するコンピュータプログラムは本発明の１つの実施形を構成する。さらに、そのコンピュータプログラムを記憶した記憶媒体も本発明を構成する。記憶媒体としては、例えばフロッピー(登録商標)ディスク、ハードディスク、光ディスク、光磁気ディスク、ＣＤ−ＲＯＭ、磁気テープ、不揮発性のメモリカード、ＲＯＭ等を用いることができる。
【００５０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５２】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５３】
【図１】本発明の対象となる各事業者、視聴者等を含むモデルの全体像を示す図である。
【図２】本発明をある事業モデルに適用した例を示す図である。
【図３】本発明の実施例に関わるフローチャートを示す。
【図４】メタデータ入力画面の一例を示す図である。
【図５】ＤＢに記録されるメタデータのデータ構造とレコード例を示す図である。
【図６】メタデータ管理者がメタデータ表示要求を受けて送信するメタデータのデータ構造とレコード例を示す図である。
【図７】メタデータ評価画面の一例を示す図である。
【図８】ＤＢに蓄積された、受信した評価データのデータ構造とレコード例を示す図である。
【図９】最終評価データが記録された、ＤＢに蓄積された、メタデータのデータ構造とレコード例を示す図である。
【符号の説明】
【００５４】
１０１    メタデータ管理者
１０１ａ  メタデータＤＢ
１０１ｂ  メタデータ処理機器
１０２    放送事業者
１０３    視聴者（メタデータ作成）
１０３ａ  ＴＶ
１０３ｂ  録画機器
１０３ｃ  メタデータ作成機器
１０４    視聴者（メタデータ評価）
１０４ａ  ＴＶ
１０４ｂ  録画機器
１０４ｃ  メタデータ評価機器
１０５    インターネット
２０１    メタデータ管理者
２０２    番組提供者
２０３    視聴者Ａ（メタデータ作成）
２０４    視聴者Ｂ（メタデータ評価）
２０５    機器販売者
４０１    テレビ映像画面
４０２    チャンネル名
４０３    番組名
４０４    経過時間
４０５    メタデータタイトル
４０６    メタデータ内容
４０７    Ｐａｕｓｅボタン
４０８    完了ボタン
７０１    テレビ映像画面
７０２    チャンネル名
７０３    番組名
７０４    経過時間
７０５    メタデータタイトル
７０６    「内容を見る」ボタン
７０７    メタデータ内容
７０８    評価選択ラジオボタン
７０９    完了ボタン
７１０    Ｐａｕｓｅボタン
【図１】
2006165658.tif 000003
【図２】
2006165658.tif 000004
【図３】
2006165658.tif 000005
【図４】
2006165658.tif 000006
【図５】
2006165658.tif 000007
【図６】
2006165658.tif 000008
【図７】
2006165658.tif 000009
【図８】
2006165658.tif 000010
【図９】
2006165658.tif 000011